(57)【要約】  本発明は、洗濯機の運送固定装置及びその固定方法であり、前記洗濯機の運送固定装置は、背面パネル（１０）に固定した後部補強板（３）と、後部補強板（３）と背面パネル（１０）を貫通して外筒（２０）に固定した梱包ボルト（４）と、を備えており、前記背面パネル（１０）と後部補強板（３）との間に洗濯機の電源プラグ（４０）に適合する収納室（５）が設置され、前記電源プラグ（４０）が前記収納室（５）に収納されている。前記背面パネル（１０）と後部補強板（３）との間に洗濯機の電源プラグ（４０）を収納するために用いる収納室（５）が設置されることによって、電源プラグ（４０）を背面パネル（１０）と後部補強板（３）との間に位置する収納室（５）に固定する。このように、電源プラグ（４０）が被覆されて収納室（５）に固定し、必ず後部補強板（３）と、梱包ボルト（４）とを取り外し、電源プラグ（４０）を取り出した後に電源が接続され、洗濯機が包装用ボルト（４）を付けたままで起動することによって、大きな振動、騒音、洗濯機の損傷などが起きることを防ぐことができる。【選択図】図１
2019535442.tif 000002
【特許請求の範囲】
【請求項１】
洗濯機の運送固定装置であって、
前記洗濯機は、背面パネルを有するハウジングと、前記ハウジング内に設けられる外筒と、を備え、前記運送固定装置は、前記背面パネルに固定した後部補強板と、前記後部補強板と前記背面パネルを貫通して前記外筒に固定した梱包ボルトと、を備えており、
前記背面パネルと前記後部補強板との間に洗濯機の電源プラグに適合する収納室が設置され、前記電源プラグが前記収納室に収納されていることを特徴とする洗濯機の運送固定装置。
【請求項２】
前記収納室は、前記背面パネルに設けられる前方にくぼみ凹状溝を備えることを特徴とする請求項１に記載の洗濯機の運送固定装置。
【請求項３】
前記背面パネルに前記凹状溝に沿って下方に延伸する延伸溝が設けられ、前記延伸溝の下端は前記後部補強板の下端より低いことを特徴とする請求項２に記載の洗濯機の運送固定装置。
【請求項４】
前記収納室は、前記後部補強板に設けられる後方に突出する凸状溝を備え、前記凸状溝の底部に前記電源プラグのインサートに適合する３つの差込口が設けられていることを特徴とする請求項２に記載の洗濯機の運送固定装置。
【請求項５】
前記収納室に外部と連通して電源コードを延伸するための開口が設けられていることを特徴とする請求項１〜４のいずれか一項に記載の洗濯機の運送固定装置。
【請求項６】
前記洗濯機の電源コードは、前記背面パネルの下部から前記ハウジングに延伸した後、前記背面パネルの縁部に沿って係合して固定することを特徴とする請求項１〜４のいずれか一項に記載の洗濯機の運送固定装置。
【請求項７】
前記運送固定装置は、それぞれ前記後部補強板の左右両側に位置する２枚のシールド板をさらに備え、前記電源コードは、前記シールド板に係合して固定することを特徴とする請求項１〜４のいずれか一項に記載の洗濯機の運送固定装置。
【請求項８】
前記シールド板に前記電源コードに適合する係合溝が設けられ、前記電源コードは前記係合溝に係合して固定することを特徴とする請求項７に記載の洗濯機の運送固定装置。
【請求項９】
請求項４に記載の洗濯機の運送固定装置の固定方法であって、前記方法は以下のステップを含み、
Ａ、前記電源プラグを前記後部補強板の凸状溝に差し込まれ、
Ｂ、前記電源プラグが固定された前記後部補強板を前記背面パネルに近接させ、前記後部補強板と前記背面パネルとの間に形成された収納室を前記電源プラグの形状に適合させ、
Ｃ、前記後部補強板を前記背面パネルに固定し、
Ｄ、 前記梱包ボルトを前記後部補強板と前記背面パネルとを貫通して、前記外筒に固定する、
ことを特徴とする洗濯機の運送固定装置の固定方法。
【請求項１０】
前記運送固定装置は、それぞれ前記後部補強板の左右両側に位置する２枚のシールド板をさらに備え、前記電源コードは、前記シールド板に係合して固定し、前記ステップＣの前にステップＣ０をさらに含み、前記２枚のシールド板をそれぞれ前記後部補強板の左右両側にプレスによって固定されることを特徴とする請求項９に記載の洗濯機の運送固定装置の固定方法。
【発明の詳細な説明】
【技術分野】
【０００１】
本発明は、洗濯機の技術分野に属し、具体的に洗濯機の運送固定装置、及びその洗濯機の運送固定装置の固定方法に関する。  
【背景技術】
【０００２】
洗濯機は、ハウジングと、衣類を投入または取り出すためにハウジングのフロントパネルに設置された衣類投入口と、を備える。衣類投入口を開閉するために投入口にドアが設けられている。ハウジングの内側に嵌装されている外筒とドラムとが設置され、バネとダンパーによってハウジングに連結され、フローティング状態になる。
【０００３】
運送過程において、利便性だけでなく、運送における洗濯機の機器の各部品の完備性を考慮し、洗濯機を運送するとき、洗濯機の揺れ、ぶつかりなどの不要な損傷を防ぐために、常に梱包ボルトの部材によって洗濯機を固定する。洗濯機の背面パネルに取付孔を開設し、洗濯機を固定するとき、梱包ボルトの部材を洗濯機のハウジングの背面パネルにおける取付孔に順次に通し、ボルトの先端を洗濯機の外筒に事前に用意した固定孔にねじ込み、その後、洗濯機の背面パネルと洗濯槽とをしっかり固定するようボルトを締め付ける。
【発明の概要】
【発明が解決しようとする課題】
【０００４】
洗濯機を使用する前に包装ボトルを取り外さなければならないが、現在、包装ボトルにおいて、ハウジングと外筒とを固定するだけで、ユーザは使用説明書に基づいて運送用ボルトを取り外さなくても、洗濯機を起動することができ、洗濯機が過度の振動や騒音を引き起こし、深刻な場合、洗濯機を破損する可能性があり、消費者の事業者に対する苦情を引き起こす。
【０００５】
中国特許２０１３２０５１０３０４.３では、プルワイヤーリング付きの運送用ネジを開示し、プルワイヤーリング付きの運送用ネジは、運送用プラスチック支柱と、運送用ゴムパッドと、平ワッシャと、特殊なセルフタッピンネジと、プルワイヤーリングと、を備え、運送用プラスチック支柱と特殊なセルフタッピンネジとが螺合され、運送用プラスチック支柱と特殊なセルフタッピンネジとの間に順次に運送用ゴムパッドと、プルワイヤーリングと、平ワッシャと、が設置されている。プルワイヤーリングの一端は丸孔を有するシート状であり、ネジが当該シートの丸孔に挿入され、固定や位置決めの役割を果たす。プルワイヤーリングの他端はＵ字型を有するシート状であり、横方向にネジを挿入することができ、組立工程において、プルワイヤーリング付きの運送用ネジの締め付け工程を併せて電源コードを梱包ボルトに保持して固定することができ、電源コードの使用長さが制限されるため、ユーザがプルワイヤーリング付きの運送用ネジを取り外さずに洗濯機を運行するリスクを防ぐことができるが、実際の操作工程では、電源コードが強く引っ張られ、プルワイヤーリングに摺動させ、電源コードが長く引っ張られ、洗濯機を起動することができる。または、差込型コンセントを用いて電源コードの所要長さを短くにして洗濯機を起動し、即ち、上記特許では梱包ボルトを取り外すことなく、洗濯機を起動するという問題を根本的に解決することができない。
【課題を解決するための手段】
【０００６】
本発明は、従来技術における上記の問題に対して、洗濯機の運送固定装置を提供し、電源プラグが被覆して固定し、梱包ボルトを取り外さない場合、洗濯機を起動することができない。
【０００７】
上記の技術的目的を達成するために、本発明は、次の技術的解決手段を用いて実現する。
【０００８】
洗濯機の運送固定装置であって、前記洗濯機は、背面パネルを有するハウジングと、前記ハウジング内に設けられている外筒と、を備え、前記運送固定装置は、前記背面パネルに固定した後部補強板と、前記後部補強板と前記背面パネルを貫通して前記外筒に固定した梱包ボルトと、を備えており、前記背面パネルと前記後部補強板との間に洗濯機の電源プラグに適合する収納室が設置され、前記電源プラグが前記収納室に収納されている。
【０００９】
さらに、前記収納室は、前記背面パネルに設けられる前方にくぼみ凹状溝を備える。
【００１０】
さらに、前記背面パネルに前記凹状溝に沿って下方に延伸する延伸溝が設けられ、前記延伸溝の下端は前記後部補強板の下端より低い。
【００１１】
さらに、前記収納室は、前記後部補強板に設けられる後方に突出する凸状溝を備え、前記凸状溝の底部に前記電源プラグのインサートに適合する３つの差込口が設けられている。
【００１２】
さらに、前記凸状溝は円錐台状である。
【００１３】
さらに、前記収納室に外部と連通して電源コードを延伸するための開口が設けられている。
【００１４】
さらに、前記洗濯機の電源コードは、背面パネルの下部から前記ハウジングに延伸した後、前記背面パネルの縁部に沿って係合して固定する。
【００１５】
さらに、前記運送固定装置は、それぞれ後部補強板の左右両側に位置する２枚のシールド板をさらに備え、前記洗濯機の電源コードは、前記シールド板に係合して固定する。
【００１６】
さらに、前記シールド板に前記電源コードに適合する係合溝が設けられ、前記電源コードは前記係合溝に係合して固定する。
【００１７】
さらに、前記運送固定装置は、前後方向に設置された少なくとも１つの固定ロッドと、ハウジングに固定した前部補強板と、を備え、前記固定ロッドの前後両端はそれぞれ前記前部補強板と背面パネルに位置し、前記外筒に前記固定ロッドが貫通するための貫通孔が設けられている。
【００１８】
さらに、前記貫通孔は楕円状の孔であり、前記背面パネルに前記貫通孔に適合する長手形状の背面パネル取付孔が設けられ、前記前部補強板に前記固定ロッドに適合する円形状の前部取付孔が設けられ、前記固定ロッドは後方から前方へ装着して固定する。
【００１９】
さらに、前記背面パネル取付孔は、下部が円形状であり、上部が正方形状であり、前記固定ロッドに前記背面パネル取付孔の角孔に適合する取付溝が設けられ、前記角孔は前記取付溝に係合されている。
【００２０】
さらに、前記外筒にそれぞれ前方延長ブロックと後方延長ブロックが設けられ、前記前方延長ブロックと後方延長ブロックにそれぞれ前記貫通孔が設けられている。
【００２１】
さらに、前記後部補強板に前記固定ロッドに適合する後部取付孔が設けられ、前記固定ロッドが前記後部取付孔を貫通している。
【００２２】
さらに、前記後部補強板の上下両端にそれぞれ外向き折曲縁部が設けられ、前記折曲縁部のサイズは、前記固定ロッドを取り付けた後に前記後部補強板から延伸した距離より大きく、または前記後部補強板から延伸した距離に等しい。
【００２３】
前記洗濯機の運送固定装置に基づいて、本発明は洗濯機の運送固定装置の固定方法を提供し、前記固定方法は以下のステップを含む。
【００２４】
Ａ、電源プラグを後部補強板の凸状溝に差し込む。
【００２５】
Ｂ、前記電源プラグが固定された後部補強板を背面パネルに近接させ、前記後部補強板と背面パネルとの間に形成された収納室を前記電源プラグの形状に適合させる。
【００２６】
Ｃ、前記後部補強板を前記背面パネルに固定する。
【００２７】
Ｄ、前記梱包ボルトを前記後部補強板と前記背面パネルを貫通して、前記外筒に固定する。
【００２８】
さらに、前記運送固定装置は、それぞれ後部補強板の左右両側に位置する２枚のシールド板をさらに備え、前記電源コードは、前記シールド板に係合して固定し、前記ステップＣの前にステップＣ０をさらに含み、前記２枚のシールド板をそれぞれ前記後部補強板の左右両側にプレスによって固定される。
【発明の効果】
【００２９】
本発明は、洗濯機の運送固定装置を提供し、前記運送固定装置は、前記背面パネルと後部補強板との間に洗濯機の電源プラグを収納するために用いる収納室が設置されることによって、電源プラグを背面パネルと後部補強板との間に位置する収納室に固定する。このように、電源プラグが被覆されて収納室に固定し、必ず後部補強板と、梱包ボルトとを取り外し、電源プラグを取り出した後に電源が接続され、洗濯機は包装用ボルトを付けたままで起動することによって、大きな振動、騒音、洗濯機の損傷などが起きることを防ぐことができる。
【図面の簡単な説明】
【００３０】
【図１】本発明に係る洗濯機の運送固定装置の第１実施形態の構造の概略図である。
【００３１】
【図２】図１中のＡ領域の拡大構造の概略図である。
【００３２】
【図３】図１中のシールド板の拡大構造の概略図である。
【００３３】
【図４】図１の背面視の構造の概略図である。
【００３４】
【図５】図４中Ｈ−Ｈ方向の断面構造の概略図である。
【００３５】
【図６】図５中のＢ領域の拡大構造の概略図である。
【００３６】
【図７】図６中の電源プラグを取り外した後の構造の概略図である。
【００３７】
【図８】図１の側面視の構造の概略図である。
【００３８】
【図９】本発明に係る洗濯機の運送固定装置の第２実施形態の構造の概略図である。
【００３９】
【図１０】図９中のＣ領域の拡大構造の概略図である。
【００４０】
【図１１】図９中のＤ領域の拡大構造の概略図である。
【００４１】
【図１２】図９中のＥ領域の拡大構造の概略図である。
【００４２】
【図１３】図９の背面視の構造の概略図である。
【００４３】
【図１４】図１３中Ｆ−Ｆ方向の断面構造の概略図である。
【００４４】
【図１５】図１４中のＧ領域の拡大構造の概略図である。
【発明を実施するための形態】
【００４５】
本発明の好ましい実施形態
本発明の実施形態の目的、技術的解決手段及び利点をより明確するために、次に本発明の実施形態の図面を併せて本発明の実施形態の技術的解決手段を明白に、詳細に説明する。
【００４６】
本発明の記載では、言及すべきなのは、用語「前」、「後」、「上」、「下」、「左」、「右」などは、図面に示す方向や位置関係に基づいて、方向または位置関係を示し、本発明の説明を容易、かつ簡便にするのに用いるが、装置や部品が必ず特定方向となることや、特定構成及び操作を表示や暗示することではない。従って、本発明を限定するものと解釈されない。また、用語「第１」、「第２」は単に例示目的のためであり、表示または暗示することを意図し、相対的な重要度を示すものではない。
【００４７】
図１〜図９に示すように、本発明に係る洗濯機の運送固定装置の第１実施形態であり、ドラム洗濯機に用い、洗濯機は、ハウジングと、ハウジング内に設けられる外筒と、電源コード３０と、電源コードに接続する電源プラグ４０と、を備え、ハウジングは、背面パネル１０と、フロントパネルと、２枚の側板５０と、を備え、本実施例では、背面パネル１０と２枚の側板５０とが一体のＵ字型の板である。運送固定装置は、背面パネル１０に固定した後部補強板３と、後部補強板３と背面パネル１０を貫通して外筒に固定した梱包ボルト４と、を備え、背面パネル１０と後部補強板３との間に収納室５が設置され、電源プラグ４０が収納室５に位置する。
【００４８】
本実施例では、背面パネル１０と後部補強板３との間に洗濯機の電源プラグ４０を収納するために用いる収納室５が設置されることによって、電源プラグ４０を背面パネル１０と後部補強板３との間に位置する収納室５に固定する。このように、電源プラグ４０が被覆されて収納室５に固定し、必ず電源プラグ４０を取り出した後に洗濯機を起動することができ、梱包ボルト４を取り外して、その後に後部補強板３を取り外す必要があり、梱包ボルト４を取り外さないと、洗濯機は電源に接続されず、洗濯機を起動することができなく、梱包ボルト４を取り外さずに洗濯機を起動して、大きな振動、騒音、洗濯機の損傷などが起きることを防ぐことができる。
【００４９】
本実施例では、図１、図６及び図７に示すように、収納室５は、背面パネル１０に設けられる前方にくぼみ凹状溝１０２と、後部補強板３に設けられる後方に突出する凸状溝３３と、凹状溝１０２と凸状溝３３とに対向して形成された電源プラグ４０を収納する収納室５と、を備える。凸状溝３３は円錐台状であり、凸状溝３３の底部に電源プラグ４０の栓刃４０１に適合する三つの差込口３３１が設けられ、このように、電源プラグ４０の栓刃４０１が差込口３３１に差し込まれ、電源プラグ４０が占用する空間を減少させることができ、即ち収納室５の容積を小さくして、電源プラグ４０を凸状溝３３に嵌合して固定する役割を果たすことができ、電源プラグ４０が収納室５の中で揺れ動くことを防ぐ。凹状溝１０２と凸状溝３３とに対向して形成した収納室５を設置することによって、収納室５を背面パネル１０と後部補強板３との間に位置させ、全ての前部凹部による外筒、及び全ての外部凸部による外梱包に干渉することを防ぎ、且つ、このように凹状溝１０２と凸状溝３３とに対向して形成した収納室５は、電源プラグ４０の固定の安定性に有利である。
【００５０】
本実施例では、図６及び図７に示すように、背面パネル１０に凹状溝１０２に沿って下向きに延伸する延伸溝１０３が設けられ、延伸溝１０３の下端が後部補強板３の下端より低いよう設置され、即ち延伸溝１０３の下部は、外部に連通し、収納室５は延伸溝１０３を介して外部に連通し、電源プラグ４０に接続する電源コード３０は、延伸溝１０３から収納室５を通過する。または収納室５に外部に連通する、電源コード３０を延伸するための開口が設けられ、即ち後部補強板３の下端と延伸溝１０３とを囲むことによって電源コード３０の延伸の開口が形成される。
【００５１】
本実施例では、図４に示すように、洗濯機の電源コード３０は、背面パネル１０の下部の右側からハウジングに延伸した後、背面パネル１０の縁部に沿って係合して固定し、即ち右方向に沿って上向きになり、その後に曲り、上縁に沿って、その後に下向きになり、左縁に沿って、即ち電源コード３０を背面パネル１０に整理して固定させ、最下端の電源プラグ４０が再び上向きになって曲がり、収納室５内に収容される。電源プラグ４０をハウジングの外部から垂下し、洗濯機は運送中の揺れによってハウジングにぶつかることを防ぐ。
【００５２】
後部補強板３は、背面パネル１０に固定するので、構造強度を高めるために、好ましくは後部補強板３の左右両側がそれぞれ左右の２枚の側板５０に固定し、即ち後部補強板３の幅は背面パネル１０の幅に等しく、または背面パネル１０の幅より僅かに小さくなり、即ち電源コード３０を背面パネル１０に整理して固定させた後、電源コード３０は、後部補強板３の左右両側を経過する。構造強度を高めるために、好ましくは後部補強板３に板金部材を用い、後部補強板３の左右両側の上下端は、電源コード３０を切断や摩擦するため、設置した運送固定装置はそれぞれ後部補強板３の左右両側に位置する２枚のシールド板６をさらに備え、電源コード３０はシールド板６に係合して固定する。シールド板６は、プラスチックの射出成形部品からなり、シールド板６に電源コード３０に適合する係合溝６１が設けられ、電源コード３０が係合溝６１に係合して固定する。このようにシールド板６の設置によって電源コード３０を保護することができ、且つ、図３に示すように、シールド板６に電源コード３０を係合して固定する係合溝６１が設けられる。
【００５３】
本実施例では、シールド板６は、後部補強板３の左右両側の外部に押圧して設置され、シールド板６と後部補強板３に設置されたネジ孔が位置揃いになっている。即ちネジによってシールド板６と後部補強板３とを同時に固定する。
【００５４】
図１〜図８に示すように、本実施形態の運送固定装置の固定方法は、以下のステップを含む。
【００５５】
Ａ、電源プラグ３０を後部補強板３の凸状溝３３に差し込む。
【００５６】
具体的には、電源プラグ４０の栓刃４０１は、凸状溝３３の差込孔３３１に差し込まれ、電源プラグ４０と電源コード３０の接続端子は下部に位置し、即ち、電源コード３０は下端から延伸している。
【００５７】
Ｂ、電源プラグ４０が固定された後部補強板３を背面パネル１０に近接させ、後部補強板３と背面パネル１０との間に形成された収納室５を電源プラグ４０の形状に適合させる。
【００５８】
具体的には、電源プラグ４０を凸状溝３３に係合して固定した後、電源プラグ４０の一部分の構造は後方に突起し、この部分は位置決めの役割を果たすよう凹状溝１０２に適合し、且つハウジングの体積を増加させるため、背面板１０は後方へ突出する突起部を有しており、強度を増加するため、後部補強板３にも背面パネル１０に適合する構造が設置され、後部補強板３を装着するときの位置決めの役割を果たし、強度を増加する。
【００５９】
Ｃ０、２枚のシールド板６をそれぞれ後部補強板３の左右両側にプレスによって固定する。
【００６０】
Ｃ、後部補強板３を背面パネル１０に固定する。
【００６１】
具体的には、ネジによってシールド板６の貫通孔と後部補強板３の貫通孔とを貫通し、背面パネル１０と側板５０の折曲縁部に固定する。
【００６２】
Ｄ、梱包ボルト４を後部補強板３と背面パネル１０に貫通して、外筒に固定する。
【００６３】
洗濯機を使用する前に、運送固定装置に対して反対方向から取り外す必要があり、梱包ボルト４と後部補強板３の固定ネジを取り外すことによって、後部補強板が取り外され、その時、電源プラグ４０を取り外して、洗濯機を通電して起動することができる。
【００６４】
本発明の実施形態
実施例
図９〜図１５に示すように、本発明に係る洗濯機の運送固定装置の第２実施形態であり、本実施形態と第１実施形態との主な相違点は以下であり、固定後の支持性と頑丈さを増加させ、運送中において外筒がハウジングに対して揺れ動くことを防ぐために、前後方向の固定ロッドをさらに設置し、その他の構成は第１実施形態と同様の構成で用いることができる。
【００６５】
洗濯機は、ハウジングと、ハウジング内に設置された外筒２０と、を備え、ハウジングは、背面パネル１０と、フロントパネルと、２枚の側板５０と、を備え、本実施例では、背面パネル１０と２枚の側板５０とが一体のＵ字型の板である。運送固定装置は、前後方向に設置された２本の固定ロッド１と、ハウジングに固定した前部補強板２と、背面パネル１０の外側に設置された後部補強板３と、梱包ボルト４と、を備える。梱包ボルト４は後部補強板３と背面パネル１０とを貫通して外筒に固定し、背面パネル１０と後部補強板３との間に電源プラグ４０を収納する収納室が設置されている。
【００６６】
本実施例では、図９及び図１４に示すように、２本の固定ロッド１はそれぞれ外筒２０の下端の左右両側に位置され、固定ロッド１の前後両端はそれぞれ前部補強板２と背面パネル１０に位置され、外筒２０に固定ロッド１が貫通するための貫通孔２０１が設けられている。前後方向の固定ロッド１を設置し、固定ロッド１の前後両端をそれぞれ前部補強板２と背面パネル１０に位置させ、固定ロッド１は外筒２０の貫通孔２０１を貫通することによって、固定ロッド１によって前部補強板２と、背面パネル１０と、外筒２０と、を固定し、外筒２０とハウジングの前後とはいずれも剛性固定連結となり、固定後の支持性と頑丈さを増加させ、運送中において外筒２０がハウジングに対して揺れ動くこと、及びその揺れ動きによる外筒２０とハウジングの損傷を防ぎ、運送中において洗濯機の安全性を確保する。
【００６７】
本実施例では、図１０に示すように、前部補強板２に固定ロッド１に適合する円形状の前部取付孔２１が設けられ、設置された貫通孔２０１は楕円状の孔であり、背面パネル１０に貫通孔２０１に適合する長手形状の背面パネル取付孔１０１が設けられ、このように、固定ロッド１を装着するとき、固定ロッド１は後方から前方へ装着し、固定ロッド１は背面パネル取付孔１０１と貫通孔２０１とを貫通して、固定ロッド１の前部を前部取付孔２１に挿入させ、背面パネル取付孔１０１と貫通孔２０１の寸法は固定ロッド１の断面寸法より大きく設置し、固定ロッド１は背面パネル取付孔１０１と貫通孔２０１において一定の調整範囲を有し、固定ロッドの装着速度を向上することができる。固定ロッド１は背面パネル取付孔１０１と貫通孔２０１の中に調整可能な方向と一致するように、貫通孔２０１の楕円孔の曲げ半径は、固定ロッド１の外径に等しく、または固定ロッド１の外径より僅かに大きくして、貫通孔２０１の楕円孔の長手方向は背面パネル取付孔１０１の長手方向と一致し、固定ロッド１の調整可能性を確実になり、固定ロッドの装着速度を向上する。好ましくは、貫通孔２０１の楕円孔の長手方向が垂直方向であり、即ち上下方向である。
【００６８】
本実施例では、図１１に示すように、背面パネル取付孔１０１は、下部が円形状であり、上部が正方形状であり、即ち、背面パネル取付孔１０１は、下部における丸孔１０１１と、上部における角孔１０１２と、を備え、丸孔１０１１と角孔１０１２との間に重なる部分を有し、角孔１０１２は正方形状であり、角孔１０１２の辺の長さは丸孔１０１１の直径よりも小さい。下部における丸孔の直径は、固定ロッド１の直径に等しく、または固定ロッド１の直径よりも僅かに大きく、固定ロッド１に背面パネル取付孔１０１の角孔１０１２に適合する取付溝１１が設けられ、角孔１０１２は取付溝１１に係合し、即ち、角孔１０１２の周縁部の背面パネルは取付溝１１に位置する。好ましくは、取付溝１１の断面は角孔１０１２の形状、寸法と同じであり、または取付溝１１の形状及び寸法は、同心に配置された固定ロッド１の断面が角孔１０１２形状及び寸法を減らしたものである。背面パネル取付孔１０１は下部が円形状であり、上部が正方形状であり、固定ロッド１に取付溝１１が設置されることによって、固定ロッド１を装着するとき、後方から前方へ背面パネル１０における背面パネル取付孔１０１の下部の丸孔１０１１と、外筒２０における貫通孔２０１と、前部補強板２と、を貫通した後、固定ロッド１を持ち上げて、固定ロッド１の後端を背面パネル取付孔１０１の下部の丸孔１０１１から上方へ移動させ、上部の角孔１０１２に到達し、且つ角孔１０１２を取付溝１１に係合させ、固定ロッド１を前後方向、左右方向に固定させ、固定ロッド１の固定は比較的に簡単で、専用の固定具を設置することによって固定ロッド１を前後方向または左右方向に固定または配置を行う必要がなく、実装効率を向上させるのに役立つ。
【００６９】
本実施例では、図１４に示すように、外筒２０の左右両側にそれぞれ前部延伸ブロック２０２と後部延伸ブロック２０３が設けられ、即ち、外筒２０の前端の左右両側に２つの前部延伸ブロック２０２が設置され、外筒２０の後端の左右両側に２つの後部延伸ブロック２０３が設けられ、前部延伸ブロック２０２と後部延伸ブロック２０３に貫通孔２０１が設けられている。このように、固定ロッド１は外筒２０に設置された前後の２つの貫通孔２０１を貫通して、固定ロッド１の位置決めを確実させ、固定ロッド１の安定性を増加させる。
【００７０】
本実施例では、後部補強板３は固定ロッド１に適合する後部取付孔３１が設けられ、固定ロッド１の後端は後部取付孔３１を貫通する。このように、固定ロッド１の後部を持ち上げて、角孔１０１２を取付溝１１に係合した後、後部補強板３を背面パネル１０に近接させ、後部取付孔３１と固定ロッド１の後端との位置を揃え、固定ロッド１の後端は後部固定孔３１を貫通した後、後部補強板３がネジによって背面パネル１０に固定する。後部補強板３を設置することによって、固定ロッド１とハウジングとを固定させ、構造強度を増加させるのに役立つ。
【００７１】
本実施例では、図１５に示すように、後部補強板３の上下両端にそれぞれ外部向けの折曲縁部３２が設置され、折曲縁部３２が設置されることによって後部補強板３の構造強度を増加させ、折曲縁部３２の寸法は固定ロッド１が装着した後に後部補強板２に延伸した距離よりも大きく、または後部補強板３に延伸した距離に等しく設置し、このように、固定ロッド１の後端を保護することができ、洗濯機の運送中に外側から物理的な衝撃や接触を防ぎ、外部から物が洗濯機の梱包箱の後部に接触する場合、衝撃力が後部補強板３の上下の２つの折曲縁部に伝わり、運送固定装置の安全性を高める。
【００７２】
本実施例では、固定用ロッド１は、前方から後方へ外筒２０における貫通孔２０１を貫通するよう装着し、即ち、運送中に外筒２０の前後方向の相対移動が有る場合、固定ロッド１は固定の役割を果たしていない。運送中に外筒２０が単純な前後運動をするのは不可能であるが、外筒２０とハウジングとの間に前後方向に固定していないので、背面パネル１０と外筒２０とを連結して固定するための梱包ボルト４が設置されている。後部補強板３と背面パネル１０にそれぞれ梱包ボルト４が貫通するための貫通孔が設置され、外筒２０に梱包ボルト４の頂端に適合するネジ孔が設けられている。梱包ボルト４を後方から前方へ順次に後部補強板３における第１貫通孔と、背面パネル１０における第２貫通孔１０４と、を貫通させ、外筒２０におけるネジ孔に螺合して固定させ、外筒２０と背面パネル１０を固定させる。洗濯機の運送中において、前後方向による衝撃力が受けられ、包装ボルト４に主に付勢されている。他の方向の付勢力は、特に外筒２０の前部の付勢力は、固定ロッド１に主に付勢されている。外筒２０の後部の付勢力は、同時に梱包ボルト４と固定ロッド１に付勢されている。
【００７３】
本実施例では、前部補強板２はハウジングのフロントパネルの内側に固定し、前部補強板２の左右両側はそれぞれハウジングの左右の２枚の側板５０に固定し、またはハウジングの前部のフレームに固定し、前部補強板２はハウジングの内部に配置されている。洗濯機がユーザの家に運送された後、包装ボルト４と、後部補強板３と、固定ロッド１と、を取り外し、前部補強板２を取り外さなくてもよい。
【００７４】
図９〜図１５に示すように、本実施例における運送固定装置の固定方法は、以下のステップを含む。
【００７５】
Ａ、固定ロッド１を後方から前方へ背面パネル１０と、外筒における貫通孔を貫通させ、固定ロッド１の前端部を前部補強板に貫通させ、そのとき、固定ロッド１が背面パネル取付孔１０１の下部の丸孔を貫通する。 
【００７６】
具体的には、固定ロッドを装着するとき、後方から前方へ取り付け、固定ロッド１を背面パネル取付孔１０１と貫通孔２０１とを貫通させ、即ち、背面パネル１０における背面パネル取付孔１０１の下部の丸孔１０１１と、外筒２０における貫通孔２０１の下部を貫通し、固定ロッド１の先端部を前部取付孔２１に貫通する。
【００７７】
Ｂ、固定ロッド１の後端を持ち上げ、固定ロッド１を背面パネル取付孔１０１の下部の丸孔１０１１から上部の角孔１０１２に到達し、角孔１０１２を取付溝１１に係合する。
【００７８】
具体的には、固定用ロッド１の後端を持ち上げ、固定ロッド１の後端を背面パネル取付孔１０１の下部の丸孔１０１１から上方へ移動させ、上部の角孔１０１２に到達し、即ち、角孔１０１２の周縁部の背面パネル１０は固定ロッド１における取付溝１１に配置され、固定ロッド１を前後方向、左右方向に固定させ、固定ロッド１の固定は比較的簡単で、専用の固定具を設置することによって固定ロッド１を前後方向または左右方向に固定または配置を行う必要がなく、実装効率を向上させるのに役立つ。
【００７９】
Ｃ０、電源プラグ３０を後部補強板３における凸溝３３に差し込む。
【００８０】
具体的には、電源プラグ４０の栓刃４０１を凸溝３３の差込孔３３１に差し込まれ、電源プラグ４０と電源コード３０の接続端子は下部に位置し、即ち、電源コード３０は下端から延伸している。
【００８１】
Ｃ、後部補強板３を背面パネル１０に近接させ、固定ロッド１の後端部を後部取付孔３１に貫通させ、後部補強板３と背面パネル１０との間に形成された収納室５を電源プラグ４０の形状に適合させ、二枚のシールド板６をそれぞれ後部補強板３の左右両側にプレスによって固定した後、後部補強板３を背面パネル１０に固定する。 
【００８２】
具体的には、後部補強板３を背面パネル１０に近接させ、後部取付孔３１と固定ロッド１の後端との位置を一致させ、固定ロッド１の後端部を後部固定孔３１に貫通させ、後部補強板３と背面パネル１０との間に形成された収納室５を電源プラグ４０の形状に適合させ、二枚のシールド板６をそれぞれ後部補強板３の左右両側にプレスによって固定させた後、ネジによってシールド板６の貫通孔と後部補強板３の貫通孔とを貫通させ、背面パネル１０と側板５０の折曲縁部に固定する。
【００８３】
Ｄ、包装ボルト４を後部補強板３と、背面パネル１０とに貫通した後、外筒に固定する。
【００８４】
以上に説明したのは、本発明の好ましい実施形態であり、本発明を他の形式で制限するものではなく、当業者は上記に開示の技術的内容と同等の変化である等価の実施形態を変更または変形することができる。本発明の技術的解決手段内容から逸脱せず、本発明の実質的技術に基づいて上記の実施形態を如何に簡単に修正、同等の変化と変形は、依然として本発明の技術的解決手段の保護範囲に属する。
【図１】
2019535442.tif 000003
【図２】
2019535442.tif 000004
【図３】
2019535442.tif 000005
【図４】
2019535442.tif 000006
【図５】
2019535442.tif 000007
【図６】
2019535442.tif 000008
【図７】
2019535442.tif 000009
【図８】
2019535442.tif 000010
【図９】
2019535442.tif 000011
【図１０】
2019535442.tif 000012
【図１１】
2019535442.tif 000013
【図１２】
2019535442.tif 000014
【図１３】
2019535442.tif 000015
【図１４】
2019535442.tif 000016
【図１５】
2019535442.tif 000017
【国際調査報告】
2019535442.tif 000018
2019535442.tif 000019
2019535442.tif 000020
2019535442.tif 000021
2019535442.tif 000022